(57)【要約】【課題】釣り糸が適切に保護され、かつ釣り針の動作が安定しやすい釣り具を提供する。【解決手段】釣り具１は、釣り針２と、釣り糸３と、コーティング材８とを備えている。釣り糸３は、釣り針２に取り付けられている。コーティング材８は、釣り糸３において釣り針２に取り付けられた部分の周囲に設けられている。コーティング材８は熱硬化性樹脂から形成されている。【選択図】図１
2017184683.tif 000002
【特許請求の範囲】
【請求項１】
釣り針と、
前記釣り針に取り付けられた釣り糸と、
前記釣り糸のうちの前記釣り針に取り付けられた部分の周囲に設けられ、熱硬化性樹脂から形成されたコーティング材とを備えたことを特徴とする釣り具。
【請求項２】
前記コーティング材はエポキシ樹脂から形成されたことを特徴とする請求項１に記載の釣り具。
【請求項３】
前記釣り糸のうちの前記釣り針に取り付けられた部分に塗布された接着剤をさらに備え、
前記釣り糸のうちの前記接着剤が塗布された部分が、前記コーティング材で被覆されたことを特徴とする請求項１又は請求項２に記載の釣り具。
【発明の詳細な説明】
【技術分野】
【０００１】
本発明は釣り具に関する。
【背景技術】
【０００２】
特許文献１にはルアーや仕掛けに取り付けられて用いられる糸付き釣り針が開示されている。この糸付き釣り針は、釣り針と、釣り針に止着した糸とからなる。糸のうちの釣り針に取り付けられる部分には、熱収縮合成樹脂チューブが被せられている。
【先行技術文献】
【特許文献】
【０００３】
【特許文献１】特開２００３−２５０３８６号公報
【発明の概要】
【発明が解決しようとする課題】
【０００４】
前記熱収縮合成樹脂チューブは、糸のうちの釣り針に取り付けられる部分を保護する。しかし、前記熱収縮合成樹脂チューブは柔らかく、機械的強度が高くない。このため、前記熱収縮合成樹脂チューブがルアーや岩などに接触して破れたり変形したりする可能性があり、糸を適切に保護することが難しい。また、熱収縮合成樹脂チューブの機械的強度は、熱収縮合成樹脂チューブの厚みを大きくすることで高まるが、この場合、熱収縮合成樹脂チューブが設けられた部分が水の抵抗を受けやすくなり、釣り針の動作が不安定になりやすい。
【０００５】
本発明は前記事情に鑑みてなされたものであって、釣り糸が適切に保護され、かつ釣り針の動作が安定しやすい釣り具を提供することを目的とする。
【課題を解決するための手段】
【０００６】
前記目的を達成するために本発明に係る一態様の釣り具は、釣り針と、前記釣り針に取り付けられた釣り糸と、前記釣り糸のうちの前記釣り針に取り付けられた部分の周囲に設けられ、熱硬化性樹脂から形成されたコーティング材とを備えたことを特徴とする。
【発明の効果】
【０００７】
本発明に係る釣り具は、釣り糸を適切に保護できかつ釣り針の動作を安定させることができる。
【図面の簡単な説明】
【０００８】
【図１】図１は、本発明に係る実施形態の釣り具の正面図である。
【図２】図２は、同上の釣り具の要部断面図である。
【図３】図３は、同上の釣り具が取り付けられたルアーの正面図である。
【発明を実施するための形態】
【０００９】
以下に示す実施形態は釣り具に関し、詳しくは、釣り針とこの釣り針に取り付けられる釣り糸とを備えた釣り具に関する。
【００１０】
図１に示す本実施形態の釣り具１は、例えばルアー９（図３参照）に取り付けられ、アシストフックとして利用される。
【００１１】
本実施形態の釣り具１はいわゆるダブルフックであって、一対の釣り針２と、釣り糸３と、リング１０とを備えている。
【００１２】
一対の釣り針２の各々は、金属製であって、例えば鋼や、ステンレスなどから形成される。各釣り針２は、略Ｊ字状の一本針（シングルフック）である。各釣り針２の先端部には、カエシ２０が形成されている。各釣り針２のチモト２１（鉤元）は、ミミ（耳）で構成されている。
【００１３】
釣り糸３の長さ方向の両端部は、一対の釣り針２にそれぞれ取り付けられている。本実施形態の釣り糸３は、ライン（アシストライン）４と、一対の根巻糸５（図２参照）とを備えている。ライン４の長さ方向の一端部４０は、根巻糸５によって一方の釣り針２に取り付けられ、ライン４の長さ方向の他端部は、根巻糸５によって他方の釣り針２に取り付けられている。
【００１４】
ライン４としては、例えばポリフッ化ビニリデン（フロロカーボン）製の撚糸が用いられる。本実施形態のライン４の長さ方向の両端部は、対応する釣り針２に対して同様に取り付けられる。このため、以下では、ライン４の長さ方向の一端部４０の取付構造について詳述し、ライン４の長さ方向の他端部の取付構造については詳細な説明を省略する。
【００１５】
図２に示すように、ライン４の一端部４０は、対応する釣り針２の軸部２２に沿って配置されている。ライン４の一端部４０は、対応する釣り針２の軸部２２に根巻きされた根巻糸５によって取り付けられている。すなわち、本実施形態の釣り糸３は、各釣り針２に取り付けられた部分である被取付部３０が、ライン４の軸部２２に沿った部分と、この部分に巻き付けられた根巻糸５とで構成されている。根巻糸５の材質としては、例えばポリフッ化ビニリデンが挙げられる。
【００１６】
ライン４の一端部４０および根巻糸５には、接着剤７が塗布されている。接着剤７としては、例えばシアノアクリレートを主成分とした瞬間接着剤が用いられる。
【００１７】
接着剤７は、釣り針２の被取付部３０（詳しくはライン４の一端部４０と根巻糸５）に含浸されており、これにより、被取付部３０は釣り針２の軸部２２に対して強固に固定されている。
【００１８】
釣り具１は、釣り糸３の各被取付部３０の周囲に塗布されたコーティング材８をさらに備えている。各被取付部３０は、対応するコーティング材８によって保護されている。各コーティング材８は、対応する根巻糸５の周囲の全体に亘って塗布されている。なお、各コーティング材８は、一部が対応する根巻糸５に含浸されてもよいし、含浸されなくてもよい。
【００１９】
各コーティング材８は、熱硬化性樹脂から形成されている。具体的に各コーティング材８は、エポキシ樹脂から形成されている。
【００２０】
各コーティング材８は接着剤７よりも機械的強度が高く、硬い。釣り糸３の各被取付部３０がコーティング材８によって覆われることで、釣り糸３の被取付部３０が岩やルアー９などに接触して擦れたり、切れたりすることが抑制される。また、各コーティング材８の厚みは、一般的に用いられる熱収縮チューブよりも厚みが薄いため、水中における釣り針２の動作が安定しやすい。また、コーティング材８を軽くすることもでき、釣り具１の軽量化も図れる。
【００２１】
釣り糸３は、例えば以下のように釣り針２に取り付けられる。まず、作業者は、ライン４の端部４０を釣り針２の軸部２２に沿わせ、このライン４の軸部２２に沿った部分と軸部２２との両者に根巻糸５を巻き付け、この根巻糸５によりライン４の端部４０を釣り針２に止着する。次に作業者は、根巻糸５に接着剤７を塗布する。この接着剤７が硬化した後、作業者は、根巻糸５の周囲にコーティング材８を塗布する。このコーティング材８が硬化することで、釣り糸３は釣り針２に対してしっかりと固定される。
【００２２】
図１に示すように、ライン４の長さ方向の中間部は、リング１０に通されており、ライン４はリング１０を境にして折り返されている。リング１０は例えば溶接リングである。
【００２３】
ライン４のうちのリング１０に隣接して２重になった部分には、結束糸６が巻き付けられており、結束糸６には根巻糸５と同様に接着剤（図示せず）が塗布されている。これにより、ライン４のうちのリング１０に隣接して２重になった部分は結束糸６により結束され、ライン４の長さ方向の中間部がリング１０に固定されている。リング１０は、例えば図３に示すように、ルアー９のラインアイ９０にスプリットリング９１を介して取り付けられる。
【００２４】
（補足）
なお、本実施形態のコーティング材８は、エポキシ樹脂であるが、例えばポリウレタン樹脂などのその他の熱硬化性樹脂から形成されてもよい。
【００２５】
また、本実施形態の釣り針２のチモト２１は、ミミであるが、カン（環）やアナ（穴）などであってもよい。また、釣り針２は、２本針（ダブルフック）あるいは３本針（トレブルフック）であってもよい。
【００２６】
また、ライン４の材質は、ポリフッ化ビニリデンの他、ナイロンやポリエチレンなどの高分子化合物や、金属製ワイヤーであってもよい。
【００２７】
また、根巻糸５の材質は、ポリフッ化ビニリデンの他、ナイロンやポリエチレンなどの高分子化合物であってもよい。また、根巻糸５の材質は、ライン４の材質と同じであってもよいし、異なっていてもよい。
【００２８】
また、接着剤７は省略してもよい。
【００２９】
また、根巻糸５は省略してもよい。すなわち、この場合、釣り糸３を構成するライン４は、釣り針２の軸部２２又はチモト２１に直接結び付けられる。
【００３０】
また、リング１０は溶接リングに限られず、スプリットリングであってもよい。また、リング１０は省略可能である。
【００３１】
また、釣り具１は、ルアー９ではなく、仕掛けに取り付けられるように構成されてもよい。
【００３２】
また、釣り具１は、釣り針２を一つだけ備えたシングルフックであってもよい。
【００３３】
また、この他、本実施形態の釣り具１は、適宜設計変更可能である。
【００３４】
（効果）
以上説明した実施形態の釣り具は、以下に示す第１の構成を有する。釣り具１は、釣り針２と、釣り糸３と、コーティング材８とを備えている。釣り糸３は、釣り針２に取り付けられている。コーティング材８は、釣り糸３のうちの釣り針２に取り付けられた部分（被取付部３０）の周囲に設けられている。コーティング材８は熱硬化性樹脂から形成されている。
【００３５】
この第１の構成を有する釣り具１は、釣り糸３の釣り針２に取り付けられた部分の周囲に設けられたコーティング材８が、熱硬化性樹脂から形成されており、機械的強度が優れており、硬い。このため、釣り糸３をコーティング材８によって適切に保護できる。また、コーティング材８の厚みを薄くすることができ、釣り針２の動作が安定しやすい。つまり、この釣り具１は、釣り糸３を適切に保護でき、かつ釣り針２の動作を安定させることができる。また、コーティング材８の軽量化も図り、釣り針２部分を軽くすることもできる。
【００３６】
また、上記実施形態の釣り具１は、第１の構成を有する釣り具１において、以下に示す第２の構成を付加的に有している。コーティング材８はエポキシ樹脂から形成されている。
【００３７】
この第２の構成を有する釣り具１は、エポキシ樹脂から形成された機械的強度の優れたコーティング材８により、釣り糸３が保護される。
【００３８】
また、上記実施形態の釣り具は、第１又は第２の構成を有する釣り具１において、以下に示す第３の構成を付加的に有している。釣り具１は、釣り糸３のうちの釣り針２に取り付けられた部分に塗布された接着剤７をさらに備えている。釣り糸３のうちの接着剤７が塗布された部分が、コーティング材８で被覆されている。
【００３９】
この第３の構成を有する釣り具１は、釣り糸３において釣り針２に取り付けられた部分が、接着剤７とコーティング材８とで補強される。
【符号の説明】
【００４０】
１  釣り具
２  釣り針
３  釣り糸
３０  被取付部
７  接着剤
８  コーティング材
【図１】
2017184683.tif 000003
【図２】
2017184683.tif 000004
【図３】
2017184683.tif 000005